(57)【要約】【課題】  設置状況に応じて架設体を自在に変形させることができるハンガーラックを提供する。【解決手段】  ハンガーラック９は、２本の支柱１１ａ、１１ｂと、架設部材１２ａ、１２ｂ及び傾斜ハンガー１３を組合わせた架設体１０と、この架設体１０を支柱１１ａ、１１ｂに固定する接続具１４ａ、１４ｂとから構成される。架設部材１２ａ、１２ｂは、軸方向に相対回転させて接続状態を変化させることができるので、様々な曲線形状の架設体１０が形成される。また、接続具１４ａ、１４ｂを、それぞれ独立に、支柱１１ａ、１１ｂに沿って上下移動させることができるので、架設体１０が様々な高さ及び傾斜状態に設置される。【選択図】      図１
2007144000.tif 000002
【特許請求の範囲】
【請求項１】
一対の支柱と、前記支柱の各々に架設された架設体とからなるハンガーラックにおいて、
前記架設体が、
円柱状の第１架設部材と、
前記第１架設部材の第１端部に、その第２端部が脱着自在に連結され、前記第１架設部材とほぼ同一直径の円柱状の第２架設部材とからなり、
前記第１架設部材及び前記第２架設部材の少なくとも一方の軸線が曲線形状を有することを特徴とする、ハンガーラック。
【請求項２】
前記第１架設部材及び前記第２架設部材の各々の軸線は、同一径の円弧の一部を含み、
前記第１架設部材がなす第１平面と前記第２架設部材がなす第２平面とが同一平面に位置すると共に、前記第１架設部材と前記第２架設部材とが円弧を形成するように連結する第１位置と、前記第１位置における、前記第１架設部材の前記第１端部に対する前記第２架設部材の前記第２端部の位置をその軸中心に１８０°回転させた第２位置と、のいずれにおいても連結状態が固定されるように前記第１端部及び前記第２端部が形成される、請求項１記載のハンガーラック。
【請求項３】
前記第１架設部材の前記軸線の中心角及び前記第２架設部材の前記軸線の中心角の各々は９０°である、請求項２記載のハンガーラック。
【請求項４】
前記ハンガーラックは、前記支柱の各々と前記架設体とを接続する接続具を備え、
前記接続具は、前記支柱の延びる軸方向に対して前記第１平面及び前記第２平面が直交する状態から傾斜した状態までのいずれの状態においても固定できるように、前記第１架設部材及び前記第２架設部材を支持する、請求項２又は請求項３記載のハンガーラック。
【請求項５】
前記ハンガーラックは、前記第１架設部材及び前記第２架設部材の各々の周壁に脱着自在に固定できる複数のストッパーを備えた、請求項４記載のハンガーラック。
【発明の詳細な説明】
【技術分野】
【０００１】
この発明は、ハンガーラックに関し、特に、ハンガーディスプレイされた商品等を効果的に演出する、または、状況に応じて形態を変化させて設置するためのハンガーラックに関するものである。
【背景技術】
【０００２】
図９は特許文献１等に示されている従来のハンガーラックを示した斜視図である。
【０００３】
図を参照して、ハンガーラック４０は、水平架設体４１の両端に一体形成された支柱４４ａ、４４ｂがそれぞれ脚部４２の２本の脚柱４５ａ、４５ｂ内に挿入され、所望の高さにおいて、各々の支柱が固定ねじ４３ａ及び４３ｂで脚柱４５ａ、４５ｂに固定される構成となっている。
【０００４】
従来は、このようなハンガーラック４０の水平架設体４１の水平部分に、ハンガーに掛かった衣裳等の商品を掛け、必要に応じて４３ａ及び４３ｂを緩めて高さ調整を行っていた。
【０００５】
【特許文献１】特開平７−１５６６０３号公報
【発明の開示】
【発明が解決しようとする課題】
【０００６】
しかしながら、上記従来のハンガーラック４０は、水平架設体４１が直線状であるため同一のものを整列させるには都合がよいが、展示場において、カーブした壁面や他の展示物に沿うように調和させたい場合には収まりが悪い上に、直線的な構造により視覚に働きかける柔らかさに欠け、また、並んだ商品同士がほぼ平行に重なるため、個々の商品を確認するには、一つ一つの商品をスライドさせる必要があるなど、展示効果を高めたい場合には不向きであった。
【０００７】
この発明は、上記のような課題を解決するためになされたもので、設置状況に応じて架設体を自在に変形させることができるハンガーラックを提供することを目的とする。
【課題を解決するための手段】
【０００８】
上記の目的を達成するために、請求項１記載の発明は、一対の支柱と、支柱の各々に架設された架設体とからなるハンガーラックにおいて、架設体が、円柱状の第１架設部材と、第１架設部材の第１端部に、その第２端部が脱着自在に連結され、第１架設部材とほぼ同一直径の円柱状の第２架設部材とからなり、第１架設部材及び第２架設部材の少なくとも一方の軸線が曲線形状を有することを特徴とするものである。
【０００９】
このように構成すると、架設体全体の少なくとも一部の軸線が曲線状となる。
【００１０】
請求項２記載の発明は、請求項１記載の発明の構成において、第１架設部材及び第２架設部材の各々の軸線は、同一径の円弧の一部を含み、第１架設部材がなす第１平面と第２架設部材がなす第２平面とが同一平面に位置すると共に、第１架設部材と第２架設部材とが円弧を形成するように連結する第１位置と、第１位置における、第１架設部材の第１端部に対する第２架設部材の第２端部の位置をその軸中心に１８０°回転させた第２位置と、のいずれにおいても連結状態が固定されるように第１端部及び第２端部が形成されるものである。
【００１１】
このように構成すると、第１架設部材の円弧の中心と第２架設部材の円弧の中心とが一致した状態と、これらが架設体に対して反対方向に位置した状態との間で切り替え自在となる。
【００１２】
請求項３記載の発明は、請求項２記載の発明の構成において、第１架設部材の軸線の中心角及び第２架設部材の軸線の中心角の各々を９０°としたものである。
【００１３】
このように構成すると、中心が一致すると架設体は半円状態となる。
【００１４】
請求項４記載の発明は、請求項２又は請求項３記載の発明の構成において、ハンガーラックは、支柱の各々と架設体とを接続する接続具を備え、接続具は、支柱の延びる軸方向に対して第１平面及び第２平面が直交する状態から傾斜した状態までのいずれの状態においても固定できるように、第１架設部材及び第２架設部材を支持するものである。
【００１５】
このように構成すると、支柱の各々を垂直方向に設置した時、第１架設部材の架設位置と第２架設部材の架設位置とを上下に変化させることができる。
【００１６】
請求項５記載の発明は、請求項４記載の発明の構成において、ハンガーラックは、第１架設部材及び第２架設部材の各々の周壁に脱着自在に固定できる複数のストッパーを備えたものである。
【００１７】
このように構成すると、第１架設部材及び第２架設部材の所望の位置にストッパーを固定することが可能となる。
【発明の効果】
【００１８】
以上説明したように、請求項１記載の発明は、架設体が変化に富むため展示効果が向上する。
【００１９】
請求項２記載の発明は、請求項１記載の発明の効果に加えて、スムーズな曲線からなる架設体のバリエーションが増加する。
【００２０】
請求項３記載の発明は、請求項２記載の発明の効果に加えて、架設体の中心部側のスペースが大きく確保できる。
【００２１】
請求項４記載の発明は、請求項２又は請求項３記載の発明の効果に加えて、架設体が常に水平に位置するものに比べて変化が大きく、展示効果が大きくなる。
【００２２】
請求項５記載の発明は、請求項４記載の発明の効果に加えて、第１架設部材及び第２架設部材が上下方向に傾斜している場合、吊り下げ物の移動を阻止することが可能となるため使い勝手が向上する。
【発明を実施するための最良の形態】
【００２３】
図１は、この発明の第１の実施の形態によるハンガーラックの第１の設置状態を示した外観斜視図であり、図２は、図１のハンガーラックを構成するの架設部材の１つを示した斜視図であり、図３は、図１の“Ｘ”部分を分離した状態の拡大斜視図であり、図４は、図１の“Ｙ”部分の拡大斜視図であり、また、図５は、図１のＶ−Ｖラインから見た分解断面図である。
【００２４】
これらの図を参照して、ハンガーラック９は、架設部材１２ａ、１２ｂ及び傾斜ハンガー１３が各々の軸線方向に連結された架設体１０と、この架設体１０を所望の高さに保つ２本の支柱１１ａ及び１１ｂとから構成される。ここで、架設体１０は、接続具１４ａ、１４ｂにより、支柱１１ａ、１１ｂの各々へ着脱自在に固定されている。
【００２５】
架設部材１２ａ、１２ｂは例えば鋼管よりなり、それぞれ、図２に示すように軸線２４ａの中心角θがほぼ直角で且つ同一径の円弧（４分の１円）の一部を形成し、ほぼ同一直径の円柱状構造を有する。特に、図２に示すように、一端には、開口部から所定距離において周壁の４方向に接続穴１８ａ、１８ｂ、１８ｃ及び１８ｄが形成されている。また、他端は、開口部から所定距離だけ他の部分より一回り径の小さい円柱構造の端部（以下、第１端部と呼ぶ）となっており、同一形状の他の架設部材の接続穴１８ａ、１８ｂ、１８ｃ及び１８ｄに相当する接続穴を有する端部（以下、第２端部と呼ぶ）に挿入して接続することが可能となっている。この接続の様子は図１の“Ｘ”部分を拡大した図３に示されている。
【００２６】
この図３では、架設部材１２ａのなす平面（第１平面：架設部材１２ａを円弧とした場合の扇形がなす平面）と架設部材１２ｂのなす平面（第２平面：架設部材１２ｂを円弧とした場合の扇形がなす平面）とが同一平面となるように、且つ、架設部材１２ａと架設部材１２ｂとにより同一径の円弧を一体的に形成（第１位置を形成）するように接続される様子が示されている。この架設部材１２ａの第１端部内にはＵ字形に曲げられたバネ体１９が設置されており、このバネ体１９の一片の外側には接続ピン１７ａが形成されている。この接続ピン１７ａは、第１平面と平行に、且つ架設部材１２ａの軸線２４ａが形成する円弧の外方に向かって、バネ体１９の反発力により第１端部の周壁の開口３０から突出した状態となっている。これにより、架設部材１２ａと架設部材１２ｂとを接続するときには、図３の矢印の方向に接続ピン１７ａを押し入れた状態で両者を嵌合させ、架設部材１２ｂの第２端部の接続穴１８ｆから接続ピン１７ａを突出させることにより抜けを防止しつつ、着脱自在に連結させることができる。
【００２７】
また、図４に示すように、傾斜ハンガー１３と架設部材１２ａとの接続も同様に、傾斜ハンガー１３に設置された接続ピン１７ｂと架設部材１２ａの接続穴１８ａとの嵌合により着脱自在に固定される。また、詳細に図示していないが、端部ストッパー１６と架設部材１２ｂとの接続も同様に、接続ピンと接続穴とにより着脱自在に固定される。
【００２８】
このように接続された架設体の支柱への固定の詳細については図４を参照して説明する。支柱１１ａと架設部材１２ａとを接続する接続具１４ａは、２枚の平板部分にそれぞれ架設部材１２ａの外径より少し大きな径の一対の穴２７ａ、２７ｂが形成されたＵ字接続体２０と、このＵ字接続体２０の曲板部分に２方向から螺合された縦ねじ２１及び横ねじ２２とから構成されている。支柱１１ａは、Ｕ字接続体２０の曲板部の内側に抱え込まれるように配置され、架設部材１２ａは、Ｕ字接続体２０の２つの穴２７ａ、２７ｂに貫通させるように配置される。そして、このような配置において、縦ねじ２１及び横ねじ２２を回転させると、支柱１１ａが、架設部材１２ａの方向に押付けられ、両者が固定される。尚、Ｕ字接続体２０の平板部分に形成される２つの穴２７ａ、２７ｂには、それぞれ対向する２箇所に、切欠き２３ａ、２３ｂ、２３ｃ及び２３ｄが形成されており、接続ピン１７ａ又は１７ｂが突出した状態でその部分を通過可能となっている。
【００２９】
次に、図５に戻って、ここでは、架設部材１２ａ、１２ｂ上における商品の横滑りを防止し、商品同士を所定間隔毎に配置するために設けた複数のストッパーのうち、ストッパー１５の詳細が示されている。ストッパー１５は、断面が４分の３円の円弧形状に形成され且つ可撓性を有する把持体２５と、この把持体２５の外部から円弧の中心に向かって捩じ込み式に貫通挿入される固定ピン２６とから構成されている。このストッパー１５の把持体２５は、可撓性を有しているため、把持体２５が形成する円弧の内周の径より僅かに小さい径を有する架設部材１２ａに嵌め込むことができる。そして、把持体２５を架設部材１２ａに嵌め込んだ状態で、固定ピン２６を円弧の中心方向に捩じ込むことにより、この固定ピン２６のねじ先端部２８と把持体２５の両端部内壁２９ａ、２９ｂとの３方向から架設部材１２ａを締め付けることができ、ストッパー１５が安定して架設部材１２ａの周壁に着脱自在に固定される。
【００３０】
このように、架設体を曲線形状を有する架設部材の組合わせにより形成することにより、設置状況に応じて変化に富んだ展示を実現することが可能となる。そして、商品の正面部分が覗けるように吊り下げることができ、視認性が良くなるので、展示効果が向上する。
【００３１】
図６は、この発明の第１の実施の形態によるハンガーラックの第２の設置状態を示した外観斜視図であり、図７は、図６の“Ｚ”部分を分離した状態の拡大斜視図である。
【００３２】
これらの図を参照して、第１の設置状態と異なり、架設部材１２ｂは、架設部材１２ａと平面視でＳ字形状を形成するように接続されている。すなわち、第１の設置状態では、図３の円弧状の軸線２４ａに沿うように、接続ピン１７ａを架設部材１２ｂの第２端部の接続穴１８ｆに嵌合させて接続され、円弧が一体的に形成されていた。これに対し、この第２の設置状態では、架設部材１２ｂは、図７に示すように、第１の設置状態から軸を中心として１８０°回転され、平面視においてＳ字状の軸線２４ｂに沿うような位置（第２位置）に変形されている。ここでは、接続ピン１７ａは、架設部材１２ｂの第２端部の接続穴１８ｇに嵌合されて、架設部材１２ａと架設部材１２ｂとが接続されている。
【００３３】
このように、架設部材１２ｂの軸線の形成する円弧の中心を、架設部材１２ａの軸線の形成する円弧の中心と反対側になるように配置することにより、スムーズな曲線からなる架設体を形成することができ、バリエーションが増加することにより、更に、展示効果を向上させることが可能となる。
【００３４】
図８は、この発明の第１の実施の形態によるハンガーラックの第３の設置状態を示した外観斜視図である。
【００３５】
ここでは、第１の実施の形態におけるハンガーラックを図１に示した設置状態から、架設部材１２ａ、１２ｂ及び傾斜ハンガー１３から構成される架設体１０の一端の接続具１４ｂによる固定位置を下方に移動させて、架設体１０に傾斜を持たせている。これにより、第１の設置状態から、展示状態に更に変化を持たせることが可能となる。ここで、この架設体１０の傾斜と共に、接続具１４ａ、１４ｂも傾斜するが、Ｕ字接続体２０において支柱１１ａが通過する内部空間は、図４に示したように、支柱１１ａ、１１ｂよりも一回り大きめの空間を設けてあるので、若干の傾きは、これら接続具１４ａ、１４ｂと支柱１１ａ、１１ｂとの間で吸収することができる。すなわち、架設部材１２ａのなす平面（第１平面）及び架設部材１２ｂのなす平面（第２平面）が、支柱に対して直交する状態から傾斜した状態までのいずれの状態においても良好に固定することが可能である。
【００３６】
また、このように架設体１０を傾斜させた場合にも、傾斜方向への商品の滑りをストッパー１５により防止することができるので、所定間隔毎に商品同士を配置することが可能となる。
【００３７】
尚、上記実施の形態では、架設体が、２本の架設部材と１本の傾斜ハンガーにより構成されている例を示したが、用いる架設部材と傾斜ハンガーの数は、これに限らず自由に組合わせても良いことは言うまでもない。
【００３８】
また、上記実施の形態では、４分の１円の円弧を形成する、同一円弧径の２つの架設部材を例として示したが、円弧以外の曲線形状であっても良く、円弧の範囲も４分の１円以外であっても良く、更に、連結する各々の架設部材の円弧の径も異なっていても良い。そしてこの場合においても、連結する架設部材同士が同一平面に位置すると共に、これら架設部材同士が弓形の弧を形成する位置と、この弓形の連結位置において、これら架設部材同士を１８０°相対回転させて形成されるＳ字状の位置と、のいずれにおいても連結状態が固定されるように各々の端部が形成されるものであっても良い。
【００３９】
更に、上記実施の形態では、架設部材を曲線形状のもののみ用いて架設体を構成したが、少なくとも１つが曲線形状を有していれば良い。
【００４０】
更に、上記実施の形態では、縦ねじ及び横ねじの２本のねじを用いて支柱を締め付ける接続具を示したが、良好に固定できるならば、縦ねじ又は横ねじの何れか１本のみの構成でも良く、また、斜めから１本のねじにより締め付ける構成でも良く、更に他の固定方法であっても良い。
【００４１】
更に、上記実施の形態では、支柱が垂直方向に設置された例を示したが、架設体と接続具との間の相対回転や、支柱の径に対する接続具の遊びを利用して、垂直方向以外に設置された支柱に対しても、架設体と支柱とを良好に接続することが可能である。
【００４２】
更に、上記実施の形態では、架設部材が中空円柱の構造である場合を例として示したが、端部以外は中実円柱の構造であってもよい。
【００４３】
更に、上記実施の形態では、架設部材の連結は、それぞれのなす平面が同一平面となる半円の場合とＳ字形状の場合とを例として示したが、それぞれのなす平面が互いに直角となるように連結しても良く、更に、他の接続構造を採用して、３６０°自在に連結できる構成であっても良い。
【００４４】
更に、上記実施の形態では、架設部材に複数のストッパーを着脱自在に固定する例を示したが、これらストッパーを用いない構成であっても良いことは言うまでもない。
【図面の簡単な説明】
【００４５】
【図１】この発明の第１の実施の形態によるハンガーラックの第１の設置状態を示した外観斜視図である。
【図２】図１のハンガーラックを構成する架設部材の１つを示した斜視図である。
【図３】図１の“Ｘ”部分を分離した状態の拡大斜視図である。
【図４】図１の“Ｙ”部分の拡大斜視図である。
【図５】図１のＶ−Ｖラインから見た分解断面図である。
【図６】この発明の第１の実施の形態によるハンガーラックの第２の設置状態を示した外観斜視図である。
【図７】図６の“Ｚ”部分を分離した状態の拡大斜視図である。
【図８】この発明の第１の実施の形態によるハンガーラックの第３の設置状態を示した外観斜視図である。
【図９】従来のハンガーラックを示した斜視図である。
【符号の説明】
【００４６】
９…ハンガーラック
１０…架設体
１１…支柱
１２…架設部材
１４…接続具
１５…ストッパー
２４…軸線
尚、各図中同一符号は同一又は相当部分を示す。
【図１】
2007144000.tif 000003
【図２】
2007144000.tif 000004
【図３】
2007144000.tif 000005
【図４】
2007144000.tif 000006
【図５】
2007144000.tif 000007
【図６】
2007144000.tif 000008
【図７】
2007144000.tif 000009
【図８】
2007144000.tif 000010
【図９】
2007144000.tif 000011